【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
多年生作物の隔年結実を抑制する方法であって、
効果的な量の精製天然化合物を含む組成物を多年生作物に投与して、上記多年生作物の隔年結実を抑制する工程を含み、
上記天然化合物は、アデノシンと、アデノシンリン酸と、イノシン、イノシンリン酸と、アデニンと、ヒポキサンチンと、キサンチンと、これらの組み合わせとからなる一群から選択される方法。
【請求項２】
上記天然化合物が、主に９−ｂｅｔａ−Ｄ−アデノシンからなるヌクレオシドである、請求項１に記載の方法。
【請求項３】
上記天然化合物は、アデノシン一リン酸と、アデノシン二リン酸と、アデノシン三リン酸と、イノシンと、イノシン一リン酸と、イノシン二リン酸と、イノシン三リン酸と、アデニンと、ヒポキサンチンと、キサンチンとからなる一群から選択される１つまたは複数を含む、請求項１に記載の方法。
【請求項４】
上記組成物は、６−ベンジルアミノプリンと、ゼアチンと、ゼアチンリボシドと、キネチンと、イソペンテニルアデニンと、イソペンテニルアデノシンと、1−（２−クロロ−４−ピリジニル）−３−フェニル尿素と、ジベレリン酸と、6−ベンジルアデニンと、6−ベンジルアデノシンと、２，３，５−トリヨード安息香酸と、ＤＰＸ１８４０と、９−ヒドロキシフルオレン−９−カルボン酸と、ナプタラム（Ｎ−１−ナフチルフタラミン酸）と、フルリドン（１−メチル−３−フェニル−５−［３−トリフルロメチル（フェニル）］−４−（１Ｈ）−ピリジノン）と、アバミンと、１−ブタノールと、これらの組み合わせとからなる一群から選択される植物成長調整剤を更に含む、請求項２に記載の方法。
【請求項５】
上記植物成長調整剤が２，３，５−トリヨード安息香酸である、請求項４に記載の方法。
【請求項６】
上記組成物が、ナリンゲニンと、ケルセチンと、フォルモノネチンと、ゲニステインと、これらの組み合わせとからなる一群から選択されるフラボノイド又はイソフラボノイドを更に含む、請求項２に記載の方法。
【請求項７】
上記組成物が、窒素と、カリウムと、マグネシウムと、リンと、カルシウムと、硫黄と、鉄と、ホウ素と、塩素と、マンガンと、亜鉛と、銅と、モリブデンと、ニッケルと、シリコンと、セレンと、コバルトと、これらの組み合わせとからなる一群から選択される肥料を更に含む、請求項２に記載の方法。
【請求項８】
上記多年生作物が、アプリコットと、アボカドと、シトラスと、桃と、西洋ナシと、ペカンと、ピスタチオと、プラムとからなる一群から選択される、請求項２に記載の方法。
【請求項９】
上記多年生作物が、アボカドと、シトラスと、ピスタチオとからなる一群から選択される、請求項８に記載の方法。
【請求項１０】
上記組成物を、発育シュートの夏の発育の開始時期であって、春の萌芽期よりも早い時期に投与する、請求項２に記載の方法。
【請求項１１】
葉面散布法と、注水法と、樹幹注入法とからなる一群から選択される手法を用いて、上記組成物を投与する、請求項２に記載の方法。
【請求項１２】
上記隔年結実の抑制が、上記組成物が投与されていない果樹と比較して、着果数の多い年の翌春の１００節当たりの花芽シュート数を増加させることを含む、請求項２に記載の方法。
【請求項１３】
上記隔年結実の抑制が、上記組成物が投与されていない果樹と比較して、着果数の多い年の翌年の果実収量を増加することを含む、請求項２に記載の方法。
【請求項１４】
上記隔年結実の抑制が、上記組成物が投与されていない果樹と比較して、２年間の累計果実収量を増加させることを含む、請求項２に記載の方法。
【請求項１５】
作物の隔年結実の抑制に効果的な組成物であって、
（ｉ）精製天然化合物と、（ｉｉ）オーキシン輸送阻害物質とを含み、
上記精製天然化合物は、アデノシンと、アデノシンリン酸と、イノシンと、イノシンリン酸と、アデニンと、ヒポキサンチンと、キサンチンと、これらの組み合わせとからなる一群から選択される、組成物。
【請求項１６】
上記天然化合物が、主に９−ベータ−Ｄ−アデノシンからなるヌクレオシドである、請求項１５に記載の組成物。
【請求項１７】
上記天然化合物が、アデノシン一リン酸と、アデノシン二リン酸と、アデノシン三リン酸と、イノシンと、イノシン一リン酸と、イノシン二リン酸と、イノシン三リン酸と、アデニンと、ヒポキサンチンと、キサンチンとからなる一群から選択される１つ又は複数を含む、請求項１５に記載の組成物。
【請求項１８】
上記オーキシン輸送阻害物質が、２，３，５−トリヨード安息香酸と、ＤＰＸ１８４０と、９−ヒドロキシフルオレン−９−カルボン酸と、ナプタラム（Ｎ−１−ナフチルフタラミン酸）と、これらの組み合わせとからなる一群から選択される植物成長調整剤である、請求項１６に記載の組成物。
【請求項１９】
上記植物成長調整剤が、２，３，５−トリヨード安息香酸である、請求項１８に記載の組成物。
【請求項２０】
上記オーキシン輸送阻害物質が、ナリンゲニンと、ケルセチンと、フォルモノネチンと、ゲニステインと、これらの組み合わせとからなる一群から選択されるフラボノイド又はイソフラボノイドである、請求項１６に記載の組成物。
【請求項２１】
肥料を更に含んでいる請求項１６に記載の組成物。
【請求項２２】
上記肥料が、窒素と、カリウムと、マグネシウムと、リンと、カルシウムと、硫黄と、鉄と、ホウ素と、塩素と、マンガンと、亜鉛と、銅と、モリブデンと、ニッケルと、セレンと、シリコンと、コバルトと、これらの組み合わせとからなる一群から選択される、請求項２１に記載の組成物。
【請求項２３】
上記肥料が低ビウレット尿素である、請求項２１に記載の組成物。
【請求項２４】
上記肥料が八ホウ酸二ナトリウム四水和物である、請求項２１に記載の組成物。
【請求項２５】
作物の隔年結実の抑制に効果的な組成物であって、
（ｉ）精製天然化合物と、（ｉｉ）植物成長調整剤とを含み、
上記精製天然化合物は、アデノシンと、アデノシンリン酸と、イノシンと、イノシンリン酸と、アデニンと、ヒポキサンチンと、キサンチンと、これらの組み合わせとからなる一群から選択される、組成物。
【請求項２６】
上記天然化合物が、主に９−ベータ−Ｄ−アデノシンからなるヌクレオシドである、請求項２５に記載の組成物。
【請求項２７】
上記天然化合物が、アデノシン一リン酸と、アデノシン二リン酸と、アデノシン三リン酸と、イノシンと、イノシン一リン酸と、イノシン二リン酸と、イノシン三リン酸と、アデニンと、ヒポキサンチンと、キサンチンとからなる一群から選択される１つ又は２つを含む、請求項２５に記載の組成物。
【請求項２８】
上記植物成長調整剤が、６−ベンジルアミノプリンと、ゼアチンと、ゼアチンリボシドと、キネチンと、イソペンテニルアデニンと、イソペンテニルアデノシンと、1−（２−クロロ−４−ピリジニル）−３−フェニル尿素と、ジベレリン酸と、６−ベンジルアデニンと、６−ベンジルアデノシンとからなる一群から選択される成長促進剤である、請求項２６に記載の組成物。
【請求項２９】
上記植物成長調整剤が、フルリドンと、アバミンと、１−ブタノールとからなる一群から選択されるアブシジン酸の生合成または機能を阻害する阻害物質である、請求項２６に記載の組成物。
【請求項３０】
窒素と、カリウムと、マグネシウムと、リンと、カルシウムと、硫黄と、鉄と、ホウ素と、塩素と、マンガンと、亜鉛と、銅と、モリブデンと、ニッケルと、セレンと、シリコンと、コバルトと、これらの組み合わせとからなる一群から選択される肥料を更に含む、請求項２６に記載の組成物。